(57)【特許請求の範囲】
【請求項１】
被検体を透過した放射線を電気信号に変換する放射線検出器と、前記放射線検出器を駆動させる２次電池とを備えた放射線撮影装置を収容可能な収容装置であって、
本体部と、側壁部と、を有し、
前記本体部と前記側壁部とにより囲まれた、前記放射線撮影装置を収容するための収容部が形成され、
前記側壁部の前記収容部側とは反対側の側面に、他の収容装置と連結するための連結部を有し、
前記連結部は、前記他の収容装置との間で電気的に接続されるコネクタ部と、前記他の収容装置との間で機械的に接続される係合部とを有し、
前記コネクタ部と前記係合部とは、前記側壁部の前記収容部側とは反対側の側面の異なる位置にそれぞれ配置されていることを特徴とする放射線撮影装置の収容装置。
【請求項２】
被検体を透過した放射線を電気信号に変換する放射線検出器と、前記放射線検出器を駆動させる２次電池とを備えた放射線撮影装置を収容可能な収容装置であって、
本体部と、前記本体部の着脱面に設けられた前記本体部に着脱自在な第１側壁部と、前記第１側壁部と対向する位置に設けられた第２側壁部と、を有し、
前記本体部と前記第１及び第２側壁部とにより囲まれた、前記放射線撮影装置を収容するための収容部が形成され、
他の収容装置と連結するための連結部を有し、
前記連結部は、前記着脱面に設けられた第１連結部と、前記第２側壁部の前記収容部側とは反対側の側面に設けられた第２連結部と、を含むことを特徴とする放射線撮影装置の収容装置。
【請求項３】
前記第１連結部は、前記着脱面から突出していることを特徴とする請求項２に記載の放射線撮影装置の収容装置。
【請求項４】
前記連結部は、前記他の収容装置との間で電気的に接続されるコネクタ部を有し、前記他の収容装置との間で電力を送受電することを特徴とする請求項２又は３に記載の放射線撮影装置の収容装置。
【請求項５】
前記連結部は、前記他の収容装置との間で機械的に接続される係合部を有することを特徴とする請求項２ないし４の何れか１項に記載の放射線撮影装置の収容装置。
【請求項６】
前記本体部および前記第２側壁部の少なくとも何れか一方に表示部が設けられていることを特徴とする請求項２に記載の放射線撮影装置の収容装置。
【請求項７】
被検体を透過した放射線を電気信号に変換する放射線検出器と、前記放射線検出器を駆動させる２次電池とを備えた放射線撮影装置のそれぞれを収容可能な複数の収容装置を有する収容システムであって、
前記複数の収容装置はそれぞれ、
本体部と、側壁部と、を有し、
前記本体部と前記側壁部とにより囲まれた、前記放射線撮影装置を収容するための収容部が形成され、
前記側壁部の前記収容部側とは反対側の側面に、他の収容装置と連結するための連結部を有し、
前記連結部は、前記他の収容装置との間で電気的に接続されるコネクタ部と、前記他の収容装置との間で機械的に接続される係合部とを有し、
前記コネクタ部と前記係合部とは、前記側壁部の前記収容部側とは反対側の側面の異なる位置にそれぞれ配置されていることを特徴とする収容システム。
【発明の詳細な説明】
【技術分野】
【０００１】
本発明は、放射線撮影装置の収容装置および収容システムに関する。
【背景技術】
【０００２】
近年、被検体を透過した放射線を電気信号に変換する放射線検出器と、放射線検出器を駆動させる２次電池とを備えた放射線撮影装置、いわゆるカセッテが実用化されている。カセッテに２次電池を搭載してケーブルレスにすることで可搬性を向上させている。このようなカセッテを容易に充電するためにカセッテの収容装置が開発されている。
【０００３】
特許文献１には、収容部の溝部の底面にカセッテの充電電極と接触可能な電極を備え、大きさの異なるカセッテと安定して電気的に接続することができるカセッテ収容装置が開示されている。
【先行技術文献】
【特許文献】
【０００４】
【特許文献１】特開２００９−２３７２９３号公報
【発明の概要】
【発明が解決しようとする課題】
【０００５】
カセッテの収容装置はカセッテを収容するスロット数が１スロットで設計されている場合が多い。そのため、複数のカセッテを有する病院等では複数の収容装置を棚等に並べて設置する。このとき、収容装置を隣接させて設置したとしても、１つの収容装置は１スロットで設計されているために、複数の収容装置を並べると大きな設置スペースが必要になってしまうという問題がある。
その一方で、設置スペースを小さくするために１つの収容装置が複数のスロットを有する場合には、１つしかカセッテを必要としない病院等では必要以上に収容装置の設置スペースを確保しなければならないという問題がある。
【０００６】
本発明は、上述したような問題点に鑑みてなされたものであり、複数の放射線撮影装置を収容する場合に収容装置の設置スペースの省スペース化を図ることを目的とする。
【課題を解決するための手段】
【０００７】
本発明は、被検体を透過した放射線を電気信号に変換する放射線検出器と、前記放射線検出器を駆動させる２次電池とを備えた放射線撮影装置を収容可能な収容装置であって、本体部と、側壁部と、を有し、前記本体部と前記側壁部とにより囲まれた、前記放射線撮影装置を収容するための収容部が形成され、前記側壁部の前記収容部側とは反対側の側面に、他の収容装置と連結するための連結部を有し、前記連結部は、前記他の収容装置との間で電気的に接続されるコネクタ部と、前記他の収容装置との間で機械的に接続される係合部とを有し、前記コネクタ部と前記係合部とは、前記側壁部の前記収容部側とは反対側の側面の異なる位置にそれぞれ配置されていることを特徴とする。
【発明の効果】
【０００８】
本発明によれば、収容装置の設置スペースの省スペース化を図ることができる。
【図面の簡単な説明】
【０００９】
【図１】カセッテの外観を示す斜視図である。
【図２】カセッテの内部の構成を示す図である。
【図３】第１の実施形態のクレードルの構成を示す斜視図である。
【図４】クレードルの構成を示す断面図である。
【図５】クレードルの連結構造を示す図である。
【図６】第２の実施形態のクレードルの連結構造を示す斜視図である。
【図７】第３の実施形態のクレードルの連結構造を示す斜視図である。
【図８】第４の実施形態のクレードルの連結構造を示す斜視図である。
【図９】第５の実施形態のクレードルの構成を示す斜視図である。
【発明を実施するための形態】
【００１０】
以下、添付図面を参照して本発明の好適な放射線撮影装置の収容装置、収容システムおよび放射線撮影システムについて説明する。
（第１の実施形態）
本実施形態の放射線撮影システムは、放射線撮影装置および収容装置を有する。
まず、放射線撮影装置（以下、カセッテ１００という）について説明する。
図１は、カセッテ１００の外観を示す斜視図であり、図１（ａ）は入射面側を示し、図１（ｂ）は背面側（入射面の反対側の面）を示している。図２は、カセッテ１００の内部の構成を示す図である。
カセッテ１００は、外装として、筐体１１、放射線透過板１６を有する。
筐体１１は放射線の入射面側に大きな開口部を有する。筐体１１は軽量で剛性の高い材料が用いられる。具体的に、筐体１１にはアルミニウム合金、マグネシウム合金、または、ＣＦＲＰ（カーボン繊維強化プラスチック）等が適用できる。筐体１１をカセッテ１００の外装とすることで、カセッテ１００内の各構成部品を保護することができる。
【００１１】
また、筐体１１は背面側にバッテリホルダ１２が設けられ、着脱可能にバッテリ１３を保持する。バッテリホルダ１２にバッテリ１３が装着されると、バッテリ１３の電力がカセッテ１００の各部に供給されることでカセッテ１００が駆動する。バッテリ１３はバッテリロック１４が操作され解除されることで、バッテリホルダ１２から離脱させることができる。バッテリ１３は２次電池であって例えば、リチウムイオン電池、キャパシタ等が適用できる。
また、筐体１１は何れかの側面（入射面および背面に対して直交する面）に端子部１５が設けられる。端子部１５は後述するクレードルから受電したり、外部の装置やシステムと通信したりする場合に用いられる。
放射線透過板１６は筐体１１の開口部に配置される。放射線透過板１６は放射線を透過しやすい材料が用いられる。放射線透過板１６は、例えば、ＣＦＲＰ等が用いられる。なお、筐体１１がＣＦＲＰの場合には、筐体１１に開口部を設けずに放射線透過板１６と一体で構成することができる。
【００１２】
また、カセッテ１００は内部に、放射線検出器としてのセンサ１７（図１（ａ）を参照）、回路基板１８ａ、１８ｂ、電気基板１９ａ、１９ｂ、保持板２０等を有する。
センサ１７にはフラットパネルディテクタ（ＦＰＤ）が適用できる。フラットパネルディテクタは、基板と、基板の表面に２次元状に配列される光電変換素子と、光電変換素子に積層して設けられるシンチレータ層（蛍光体の層）とを有する。フラットパネルディテクタは被検体を透過した放射線が入射されるとシンチレータ層が発光し、光電変換素子が発光を検出して電気信号に変換する。蛍光体にはＧＯＳ（Ｇｄ２Ｏ２Ｓ）またはＣｓＩが適用できる。
【００１３】
回路基板１８ａ、１８ｂはセンサ１７により変換された電気信号を読み出す。回路基板１８ａ、１８ｂとセンサ１７とは、フレキシブルケーブル２２を介して接続される。
電気基板１９ａ、１９ｂは回路基板１８ａ、１８ｂにより読み出された電気信号から放射線画像としての画像データを生成する。電気基板１９ａと電気基板１９ｂとは、フレキシブルケーブル２１を介して接続される。また、電気基板１９ａは回路基板１８ａ、１８ｂとフレキシブルケーブル２３を介して接続される。また、電気基板１９ｂはバッテリ１３とフレキシブルケーブル２４を介して接続される。
【００１４】
保持板２０はセンサ１７、回路基板１８ａ、１８ｂ、電気基板１９ａ、１９ｂを保持する。具体的には、保持板２０は入射面側でセンサ１７を保持し、入射面側と反対側で回路基板１８ａ、１８ｂ、電気基板１９ａ、１９ｂを保持する。
電気基板１９ａ、１９ｂで生成された画像データは、端子部１５を介して外部に送信され、外部の表示システムによって表示される。ここで、電気基板１９ｂはケーブル２５を介して端子部１５に接続される。なお、画像データの送信は、有線である場合に限られず、無線であってもよい。無線の場合には、主に２．４ＧＨｚや５ＧＨｚ帯を用いることができる。このように送信された画像データをＰＣやタブレット等で表示させることでユーザは画像データを確認することができる。
【００１５】
次に、カセッテ１００の収容装置（以下、クレードル２００という）について説明する。
図３は、クレードル２００の構成を示す斜視図である。図４は、図３をＩ−Ｉ線に沿って矢印方向に切断し、側方（左側）から見た断面図である。なお、以下では、説明を容易にするために必要に応じて各図に、クレードルの右側をＲ、左側をＬ、前側をＦｒ、後側をＲｒとして図示する。
【００１６】
クレードル２００はカセッテ１００を収容可能であって、収容されたカセッテ１００のバッテリ１３を充電する。本実施形態のクレードル２００はカセッテ１００を収容するスロット数が１つのタイプである。以下、具体的な構成について説明する。
【００１７】
クレードル２００はカセッテ１００を収容する筐体部３０を有する。筐体部３０は、左右よりも前後に長い略直方体である。
本実施形態の筐体部３０は、本体部３１と、側壁部３２ａ、３２ｂとが一体で構成される。側壁部３２ａと側壁部３２ｂとは隙間を介して対向して配置される。本体部３１と、側壁部３２ａ、３２ｂとによって囲まれた空間が、カセッテ１００を収容するスロットとしての収容部３３である。
【００１８】
本体部３１は底部３４と、支持部３５とを有する。底部３４はクレードル２００の設置面に接地し、収容部３３に収容されたカセッテ１００の一つの側面を支持する。支持部３５は底部３４の後側から一体で立設され、収容部３３に収容されたカセッテ１００の他の一つの側面を支持する。なお、図４に示すように、底部３４と支持部３５とは内部が中空である。
【００１９】
また、本体部３１の内部には電気基板３６、３７が配置される。電気基板３６と電気基板３７とはケーブル３８を介して接続される。
ここで、電気基板３６には給電部３９が接続される。給電部３９は支持部３５から収容部３３に向かって突出して設けられ、収容部３３内で露出する。すなわち、給電部３９は収容部３３の最奥側に位置する。収容部３３にカセッテ１００を収容することで、カセッテ１００の端子部１５と給電部３９とが接続される。
電気基板３７には電源ケーブル４０が接続される。電源ケーブル４０は本体部３１から外部に延出する。したがって、電源ケーブル４０をコンセントに接続することで、電力が電気基板３６、３７に供給され、給電部３９を介して、収容部３３に収容されたカセッテ１００に給電されバッテリ１３が充電される。
【００２０】
側壁部３２ａは筐体部１０の左右方向の左側に位置し、収容部３３に収容されたカセッテ１００の入射面側および背面側の一方を支持する。側壁部３２ｂは筐体部１０の左右方向の右側に位置し、収容部３３に収容されたカセッテ１００の入射面側および背面側の他方を支持する。なお、本実施形態では、側壁部３２ａの前後寸法が側壁部３２ｂの前後寸法よりも長く、側壁部３２ａの左右寸法が側壁部３２ｂの左右寸法よりも短い。
また、側壁部３２ｂは前側かつ上側に表示部９０を有する。表示部９０は収容部３３に収容されたカセッテ１００のバッテリ１３の現在の充電量、通電状態（通電しているか、充電完了しているか）、充電エラー等を表示する。したがって、ユーザは表示部９０を介してバッテリ１３の状態を確認することができる。
【００２１】
次に、複数のクレードル２００を省スペースで設置するための構成について説明する。
本実施形態では、複数のクレードル２００を設置するときに省スペース化を図るため、クレードル２００同士を後述する連結部を介して連結する。
図５はクレードル２００の連結構造を示す斜視図である。図５（ａ）は２つのクレードル２００を離した状態を示し、図５（ｂ）は２つのクレードル２００を連結した収容システムを示している。ここでは、左側をクレードル２００ａとし、右側をクレードル２００ｂとして説明する。
【００２２】
ここで、クレードル２００ａの筐体部３０は連結部４１Ａを有し、クレードル２００ｂの筐体部３０は連結部４１Ａに連結される連結部４１Ｂを有する。
まず、連結部４１Ａについて説明する。
連結部４１Ａは、係合部４２Ａ、４３Ａと、コネクタ部４４Ａとを有する。係合部４２Ａおよびコネクタ部４４Ａは側壁部３２ｂのうち収容部３３側と反対側の側面４５ｂに設けられ、係合部４３Ａは底部３４のうち側面４５ｂと同じ側の側面４６ｂに設けられる。
ここで、係合部４２Ａは上側かつ後側に位置し、係合部４３Ａは下側かつ前側に位置する。一方、コネクタ部４４Ａは、上下の位置が係合部４２Ａと係合部４３Ａとの間であって、前後の位置が係合部４２Ａと係合部４３Ａとの間である。
【００２３】
本実施形態では、係合部４２Ａおよび係合部４３Ａは、側面４５ｂ、側面４６ｂに対してそれぞれ凹状に形成された円形状であり、取付孔として機能する。
コネクタ部４４Ａは、側面４５ｂに対して凹状に形成された矩形の孔状であり、内部に電極部４７が配置されている。電極部４７は筐体部３０内で電気基板３７に接続されている。
【００２４】
次に、連結部４１Ｂについて説明する。
連結部４１Ｂは、係合部４２Ｂ、４３Ｂと、コネクタ部４４Ｂとを有する。係合部４２Ｂおよびコネクタ部４４Ｂは側壁部３２ａのうち収容部３３側と反対側の側面４５ａに設けられ、係合部４３Ｂは底部３４のうち側面４５ａと同じ側の側面４６ａに設けられる。
ここで、係合部４２Ｂは上側かつ後側に位置し、係合部４３Ｂは下側かつ前側に位置する。一方、コネクタ部４４Ｂは、上下の位置が係合部４２Ｂと係合部４３Ｂとの間であって、前後の位置が係合部４２Ｂと係合部４３Ｂとの間である。
【００２５】
本実施形態では、係合部４２Ｂおよび係合部４３Ｂは、側面４５ａ、側面４６ａに対してそれぞれ凸状に突出した円形状であり、取付ボスとして機能する。
コネクタ部４４Ｂは、側面４５ａに対して凸状に突出した矩形の突起であり、先端に電極部４８が配置されている。電極部４８は筐体部３０内で電気基板３７に接続されている。
【００２６】
次に、クレードル２００同士を連結する場合について説明する。
まず、ユーザはクレードル２００ａの側壁部３２ｂとクレードル２００ｂの側壁部３２ａとを対面させる。このとき、係合部４２Ａと係合部４２Ｂ、係合部４３Ａと係合部４３Ｂ、コネクタ部４４Ａとコネクタ部４４Ｂとがそれぞれ対面する。次に、ユーザはクレードル２００ａとクレードル２００ｂとを互いに近接させる方向に押し付ける。すると、係合部４２Ｂが係合部４２Ａ内に挿入されて嵌合し、係合部４３Ｂが係合部４３Ａ内に挿入されて嵌合する。また、コネクタ部４４Ｂがコネクタ部４４Ａ内に挿入され、電極部４７と電極部４８とが接触して電気的に接続される。したがって、図５（ｂ）に示すように、クレードル２００ａの側壁部３２ｂとクレードル２００ｂの側壁部３２ａとが接触した状態で連結される。
【００２７】
このように、クレードル２００ａが連結部４１Ａを有し、クレードル２００ｂが連結部４１Ａに連結される連結部４１Ｂを有することで、クレードル２００ａおよびクレードル２００ｂを連結させた状態で設置することができる。したがって、クレードル２００ａ、２００ｂ同士を近接させた状態にできることから、複数のクレードル２００を設置する場合であっても設置スペースの省スペース化を図ることができる。このとき、係合部４２Ａ、４３Ａと係合部４２Ｂ、４３Ｂとがそれぞれ嵌合していることから、クレードル２００ａとクレードル２００ｂとの連結が容易に解除されることを防止できる。
一方、カセッテ１００が一つしか必要なくなった場合には、ユーザはクレードル２００ａとクレードル２００ｂとを離間する方向に引き離すことで連結を解除することができる。したがって、一つのカセッテ１００に対応した一つのクレードル２００のみを設置することができ設置スペースの省スペース化を図ることができる。
【００２８】
また、クレードル２００ａの電極部４７とクレードル２００ｂの電極部４８とが電気的に接続されることで、クレードル２００ａとクレードル２００ｂとの間で電極部４７、４８を介して電力の送受電や通信が可能である。この場合、クレードル２００ａまたはクレードル２００ｂのうち、何れかの電気基板３７が電力の送受電を制御してもよい。例えば、クレードル２００ａを上位クレードルとし、クードル２００ｂを下位クレードルとし、クレードル２００ｂが電源ケーブル４０を有していない場合を想定する。この場合、クレードル２００ｂへの電力はクレードル２００ａに供給されている電力から分割され電極部４７、４８を介して供給される。通常、クレードル２００ａおよびクレードル２００ｂでそれぞれ充電されるカセッテ１００のバッテリ１３の充電残量は同一でない場合が多い。したがって、クレードル２００ａの電気基板３７はバッテリ１３の充電残量の多いカセッテ１００を先に充電完了するように電流量を制御することで、効率良く充電することができる。このような制御は、クレードル２００ａの電気基板３７に電流制御部を実装することで実現される。
【００２９】
また、連結部４１Ａ、４１Ｂはそれぞれクレードル２００ａ、２００ｂの筐体部３０に設けられていることから、クレードル２００ａとクレードル２００ｂとの連結が容易に解除されることを防止できる。
また、連結部４１Ａ、４１Ｂのうち機械的に接続させる機能を係合部４２Ａ、４２Ｂ、４３Ａ、４３Ｂとし、電気的に接続させるためのコネクタ部４４Ａ、４４Ｂと別々に構成した。そのため、クレードル２００ａおよびクレードル２００ｂに外力が負荷されたとしても、係合部４２Ａ、４２Ｂ、４３Ａ、４３Ｂがその力を受けることから、コネクタ部４４Ａ、４４Ｂに力が作用することを防止できる。したがって、電極部４７と電極部４８とを安定して接続させることができる。
【００３０】
なお、本実施形態では、２つのクレードル２００を設置する場合について説明したが、この場合に限られず、３つ以上のクレードル２００を設置してもよい。例えば３つのクレードル２００を設置する場合、クレードル２００ｂの側壁部３２ｂにもクレードル２００ａの側壁部３２ｂの連結部４１Ａと同様の連結部４１Ａを設ける。そして、その連結部４１Ａにクレードル２００ｂと同一構造である他のクレードルの連結部４１Ｂを連結することで、３つのクレードル２００を省スペースに設置することができる。
【００３１】
（第２の実施形態）
第２の実施形態ではクレードルの一部の形状を変更することで更に設置スペースを省スペース化する場合について説明する。
図６はクレードル３００の連結構造を示す斜視図である。具体的には、図６（ａ）は２つのクレードル３００を離した状態を示し、図６（ｂ）は２つのクレードル３００を連結した収容システムを示している。ここでは、左側をクレードル３００ａとし、右側を増設するクレードル３００ｂとして説明する。以下では、第１の実施形態と異なる構成を中心に説明し、同様の構成は同一符号を付して、その説明を適宜省略する。
【００３２】
クレードル３００ａは第１の実施形態のクレードル２００ａに対して筐体部３０の形状が一部異なるものの略同様の構成である。すなわち、クレードル３００ａは筐体部３０が一対の側壁部３２ａ、３２ｂを有し、側壁部３２ｂの側面４５ｂに連結部４１Ａが設けられている。
一方、クレードル３００ｂは筐体部５０が一つの側壁部３２ｂを有する構成である。すなわち、クレードル３００ｂはクレードル３００ａの筐体部３０のうち側壁部３２ａを取り除いた形状である。また、クレードル３００ｂは底部５４および支持部５５からなる本体部５１と、一つの側壁部３２ｂとによって囲まれた空間が収容部３３であり、側壁部３２ｂの反対側が開放されている。
このように、クレードル３００ｂは側壁部３２ａが取り除かれた分だけ、筐体部５０の左右寸法がクレードル３００ａの筐体部３０の左右寸法よりも小さい。
また、本実施形態のクレードル３００ｂは、クレードル３００ａに連結される連結部４１Ｂが本体部６１の側面５６ａに設けられている。具体的には、本体部５１の側面５６ａに、係合部４２Ｂ、４３Ｂと、コネクタ部４４Ｂとを有する。
【００３３】
次に、クレードル３００同士を連結する場合について説明する。
まず、ユーザはクレードル３００ａの側壁部３２ｂとクレードル３００ｂの本体部５１とを対面させる。このとき、係合部４２Ａと係合部４２Ｂ、係合部４３Ａと係合部４３Ｂ、コネクタ部４４Ａとコネクタ部４４Ｂとがそれぞれ対面する。次に、ユーザはクレードル３００ａとクレードル３００ｂとを互いに近接させる方向に押し付けることで、図６（ｂ）に示すように、クレードル３００ａの側壁部３２ｂとクレードル３００ｂの本体部５１とが接触した状態で連結される。
【００３４】
このとき、クレードル３００ｂの収容部３３は、クレードル３００ａの側壁部３２ｂの側面４５ｂによって囲まれる。したがって、クレードル３００ｂの収容部３３に収容されたカセッテ１００は、連結したクレードル３００ａの側壁部３２ｂの側面４５ｂによって支持されることから、側壁部３２ａがなくともカセッテ１００を安定して支持することができる。すなわち、クレードル３００ａの側壁部３２ｂを、クレードル３００ｂの側壁部としても併用することができる。
【００３５】
このように、側壁部３２ａを有さないクレードル３００ｂをクレードル３００ａの側壁部３２ｂ側で連結することで、クレードル３００ｂの側壁部３２ａが存在しない分だけクレードル３００ｂを小型化でき、設置スペースの省スペース化を図ることができる。このとき、クレードル３００ｂの収容部３３に収容されたカセッテ１００は、クレードル３００ａの側壁部３２ｂによって安定して支持することができる。
【００３６】
なお、本実施形態では、２つのクレードル３００を設置する場合について説明したが、この場合に限られず、３つ以上のクレードル３００を設置してもよい。例えば３つのクレードル３００を設置する場合、クレードル３００ｂの側壁部３２ｂにもクレードル３００ａの側壁部３２ｂの連結部４１Ａと同様の連結部４１Ａを設ける。そして、その連結部４１Ａにクレードル３００ｂと同一構造である他のクレードルの連結部４１Ｂを連結することで、３つのクレードル３００を省スペースに設置することができる。
【００３７】
（第３の実施形態）
第３の実施形態ではクレードルの側壁部を着脱自在にすることでクレードルを容易に増設する場合について説明する。
図７はクレードル４００の連結構造を示す斜視図である。具体的には図７（ａ）は２つのクレードル４００を連結した収容システムを示し、図７（ｂ）は側壁部が着脱自在な構成を示している。ここでは、左側をクレードル４００ａとし、右側をクレードル４００ｂとして説明する。以下では、第２の実施形態と異なる構成を中心に説明し、同様の構成は同一符号を付して、その説明を適宜省略する。
【００３８】
クレードル４００ａは、側壁部３２ａが着脱自在な構造である。すなわち、図７（ｂ）に示すように、クレードル４００ａの本体部６１から側壁部３２ａが分割される。本体部６１の側面６５ａは、側壁部３２ａの着脱面である。
ここで、本体部６１の側面６５ａには、側壁部３２ａに連結される連結部４１Ｂが設けられている。具体的には、本体部６１の側面６５ａに、連結部４１Ｂとして、係合部４２Ｂ、４３Ｂと、コネクタ部４４Ｂとを有する。
一方、側壁部３２ａのうち、本体部６１に対面する側面６５ｂには、連結部４１Ｂに連結される連結部４１Ａが設けられている。具体的には、側壁部３２ａの側面６５ｂに、連結部４１Ａとして、係合部４２Ａ、４３Ａと、凹部６６とを有する。凹部６６は、本体部６１に側壁部３２ａを連結したときにコネクタ部４４Ｂとの干渉を回避する。
【００３９】
このように、本体部６１と側壁部３２ａとは連結部４１Ａ、４１Ｂを介して着脱可能であるために、クレードル４００ａの本体部６１から側壁部３２ａを離脱させることができる。したがって、側壁部３２ａを離脱させた本体部６１の側面６５ａにクレードル４００ａと同一構造である他のクレードルを連結部４１Ｂを介して連結させることができ、容易にクレードルを増設することができる。
一方、クレードル４００ａ、４００ｂを別々の場所に設置したい場合には、ユーザはクレードル４００ａとクレードル４００ｂとを引き離す。そして、各クレードル４００ａ、４００ｂの本体部６１、５１にそれぞれ側壁部３２ａを装着することで、一つのカセッテ１００に対応した一つのクレードルのみを設置することができる。
また、クレードル４００ａは本体部６１から着脱しない側壁部３２ｂに表示部９０を有することから、クレードル４００同士を連結するために側壁部３２ａを離脱させたとしても、ユーザは表示部９０を介してバッテリ１３の状態を確認することができる。なお、表示部９０は、本体部６１および側壁部３２ｂの少なくとも何れか一方に設けることができる。
【００４０】
（第４の実施形態）
第４の実施形態では第１〜第３の実施形態とは異なる連結部を有するクレードルについて説明する。
図８はクレードル５００の連結構造を示す図である。具体的には、図８（ａ）は２つのクレードル５００を離した状態を示し、図８（ｂ）は２つのクレードル５００を連結した収容システムを上側から見た図である。ここでは、左側をクレードル５００ａとし、右側をクレードル５００ｂとして説明する。以下では、第２の実施形態のクレードル３００ａと異なる構成を中心に説明し、同様の構成は同一符号を付して、その説明を適宜省略する。なお、クレードル５００ａとクレードル５００ｂとは同一形状である。
【００４１】
クレードル５００ａは、筐体部７０が連結部としての脚部８０を有している。脚部８０は、収容部３３にカセッテ１００を収容され重心が高くなったクレードル５００ａが倒れることを防止する。具体的には、筐体部７０の側壁部３２ａには第１脚部材８１ａが一体的に形成される（クレードル５００ｂを参照）。第１脚部材８１ａは側壁部３２ａの下端であって前後方向の中央に位置する。一方、側壁部３２ｂには第２脚部材８１ｂと第３脚部材８１ｃとが一体的に形成される。第２脚部材８１ｂは側壁部３２ｂの下端であって後側に位置し、第３脚部材８１ｃは側壁部３２ｂの下端であって前側に位置する。第２脚部材８１ｂと第３脚部材８１ｃとの間には隙間ｇが形成される。
【００４２】
次に、クレードル５００同士を連結する場合について説明する。
まず、ユーザはクレードル５００ａの側壁部３２ｂとクレードル５００ｂの側壁部３２ａとを対面させて、クレードル５００ａとクレードル５００ｂとを互いに近接させる。すると、図８（ｂ）に示すように、クレードル５００ａの側壁部３２ｂの第２脚部材８１ｂと第３脚部材８１ｃとの隙間ｇにクレードル５００ｂの側壁部３２ａの第１脚部材８１ａが挿入される。すなわち、第２脚部材８１ｂと第３脚部材８１ｃとの間に第１脚部材８１ａが位置した状態で、クレードル５００ａとクレードル５００ｂとが連結される。
【００４３】
このように、クレードル５００ａとクレードル５００ｂとを連結させる第１脚部材８１ａ〜第３脚部材８１ｃが、連結させる方向（左右方向）に対して直交する方向（前後方向）にずらして配置されている。したがって、第１脚部材８１ａ〜第３脚部材８１ｃに干渉されることなくクレードル５００ａ、５００ｂ同士を近接させることができることから、複数のクレードル５００を設置する場合であっても設置スペースの省スペース化を図ることができる。
なお、本実施形態では、２つのクレードル５００を設置する場合について説明したが、この場合に限られず、３つ以上のクレードル５００を増設してもよい。このとき、増設するクレードルは、上述したクレードル５００ａ、５００ｂと同一のクレードルを用いることができる。
【００４４】
また、本実施形態では、側壁部３２ａに一つの脚部材８１ａを形成したが、２つ以上の脚部材を形成してもよい。また、本実施形態では、側壁部３２ｂに２つの脚部材８１ｂ、８１ｃを形成する場合について説明したが、１つの脚部材でも３つ以上の脚部材を形成してもよい。ただし、何れの場合でも、クレードル５００ａ、５００ｂを近接させたときに、各脚部材を前後方向にずらして配置することが好ましい。
また、本実施形態では、脚部はクレードル５００が倒れるのを防止するための機能とする場合について説明したが、この場合に限られない。例えば、各脚部材の先端に上述した係合部４２Ｂやコネクタ部４４Ｂを設け、対面する側壁部３２ａ、３２ｂに係合部４２Ａやコネクタ部４４Ａを設けてもよい。
【００４５】
（第５の実施形態）
第５の実施形態では複数のクレードルの収容部のうち少なくとも２つの収容部の形状が互いに異なる場合について説明する。
図９はクレードル６００の構成を示す図である。ここでは、左側をクレードル６００ａとし、右側をクレードル６００ｂとして説明する。以下では、第２の実施形態と異なる構成を中心に説明し、同様の構成は同一符号を付して、その説明を適宜省略する。
【００４６】
図９に示すように、クレードル６００ｂの筐体部５０は、収容部３３がカセッテ１００ａの筐体の外形に合致した形状に形成されている。具体的には、収容部３３は本体部５１の支持部５５に湾曲状に形成された曲部８５を有している。すなわち、クレードル６００ｂの収容部３３には、収容部３３の形状に合致したカセッテ１００ａのみを収容することができる。したがって、カセッテ１００ａの収容するクレードル６００ｂに収容するカセッテを限定させることができる。また、収容部３３の形状をカセッテ１００ａの外形に合致させることで、ユーザがカセッテ１００ａを挿入する方向を間違えることを防止することができる。
【００４７】
以上、本発明を種々の実施形態と共に説明したが、本発明はこれらの実施形態にのみ限定されるものではなく、本発明の範囲内で変更等が可能であり、上述した実施形態を適時組み合わせてもよい。
【００４８】
なお、上述した本実施形態では、係合部４２Ａ、４３Ａを取付孔とし、係合部４２Ｂ、４３Ｂを取付ボスとする場合について説明したが、この場合に限られない。係合部４２Ａ、４３Ａ、４２Ｂ、４３Ｂは、磁力、スナップフィット、あるいは、爪の嵌め合い等を用いた構造であってよい。
また、上述した実施形態では、給電部３９が筐体部３０の支持部３５、すなわち収容部３３の最奥側に配置する場合について説明したが、この場合に限られず、底部３４や側壁部３２ａ、３２ｂの収容部３３側に配置してもよい。ただし、給電部３９を支持部３５に配置することで、１つの収容部３３でサイズの異なるカセッテ１００を充電できる構造に容易に設計することができる。
【００４９】
また、上述した実施形態では、給電部３９はカセッテ１００の端子部１５と直接、接続される場合について説明したが、この場合に限られず、給電部３９はいわゆる非接触給電方式であってもよい。すなわち、給電部３９およびカセッテ１００の受電部の方式および形状は特定の方式および形状に限定されない。
また、上述した実施形態では、複数のクレードルの間における電力の送受電または通信の送受信を電極部４７、４８を介して行う場合について説明したが、この場合に限られず、電磁誘導、電界共鳴等の非接触給電方式で行ってもよい。
【００５０】
また、上述した実施形態では、カセッテ１００が着脱可能なバッテリ１３を有する場合について説明したが、この場合に限られず、内蔵式の２次電池を有するカセッテであってもよい。
また、上述した実施形態では、クレードルはカセッテ１００にバッテリ１３が装着された状態で充電する場合について説明したが、この場合に限られない。すなわち、クレードルは、カセッテ１００から取り外したバッテリ１３を充電するバッテリチャージャーであってもよい。この場合には、クレードルの収容部３３の形状をバッテリの外形に合致させることで実現することができる。
【００５１】
また、上述した実施形態では、表示部９０を側壁部３２ｂに設ける場合について説明したが、この場合に限られず、本体部３１に設けてもよい。
また、上述した実施形態では、クレードルが給電部３９を有し、カセッテ１００を充電可能である場合について説明したが、この場合に限られず、カセッテ１００を単に収容できるだけであってもよい。
【符号の説明】
【００５２】
３０：筐体部  ３１：本体部  ３２ａ、３２ｂ：側壁部  ３３：収容部  ３９：給電部  ４１Ａ、４１Ｂ：連結部  ４２Ａ、４２Ｂ：係合部  ４３Ａ、４３Ｂ：係合部  ４４Ａ、４４Ｂ：コネクタ部  ４７、４８：電極部  ５０：筐体部  ５１：本体部  ６１：本体部  ７０：筐体部  ８０：脚部  ８１ａ〜８１ｃ：脚部材  １００：カセッテ（放射線撮影装置）  ２００、３００、４００、５００、６００：クレードル（収容装置）
【図１】
0006765810.tif 000002
【図２】
0006765810.tif 000003
【図３】
0006765810.tif 000004
【図４】
0006765810.tif 000005
【図５】
0006765810.tif 000006
【図６】
0006765810.tif 000007
【図７】
0006765810.tif 000008
【図８】
0006765810.tif 000009
【図９】
0006765810.tif 000010